(57)【特許請求の範囲】
【請求項１】
複数のユーザのうち、発話をしたユーザの当該発話に関連した発話関連情報を提示する発話関連情報提示装置であって、
前記発話関連情報及び検索キーワードが互いに関連付けて記憶された情報データベースと、
互いに異なる位置に配置され、前記発話を音声信号に変換して入力するための複数のマイクと、
前記各ユーザに囲まれる領域のうちの外周側領域である提示領域を示す提示領域データを設定するための提示領域設定手段と、
前記提示領域のうち、前記各ユーザの手前領域を示す複数の手前領域データを設定するための手前領域設定手段と、
前記各マイクの位置と、前記発話が各マイクに到達した到達時間とに基づいて、前記各手前領域データの中から当該発話をしたユーザの手前領域データを選択し、当該手前領域データから提示開始位置を算出する提示開始位置算出手段と、
前記情報データベース内の全ての検索キーワードと、前記音声信号に対応する発話情報とを比較し、当該発話情報に一致した検索キーワードを前記情報データベースから抽出する検索キーワード抽出手段と、
前記抽出された検索キーワードに関連する発話関連情報を前記情報データベースから抽出する情報抽出手段と、
前記設定された提示領域データ、及び前記算出された提示開始位置に基づいて、当該提示開始位置から移動して前記提示領域上を巡回するように、発話関連情報の提示位置を時間変化に応じて算出する提示位置算出手段と、
前記算出された提示位置及び前記抽出された発話関連情報に基づいて、この発話関連情報を当該提示位置に提示するように提示画像データを作成する提示画像作成手段と、
前記提示画像データを提示する情報提示手段と、
を備えたことを特徴とする発話関連情報提示装置。
【請求項２】
請求項１に記載の発話関連情報提示装置において、
前記情報提示手段の情報提示面上に配置され、ユーザにより選択された選択位置を検出する位置検出手段を更に備えており、
前記情報データベースは、前記発話関連情報に関連付けて付随情報が記憶されており、
前記提示画像作成手段は、前記検出された選択位置上に提示されていた発話関連情報に基づいて、前記情報データベースから付随情報を抽出し、この付随情報をも提示するように提示画像データを作成することを特徴とする発話関連情報提示装置。
【請求項３】
請求項２に記載の発話関連情報提示装置において、
前記提示領域データに基づいて、前記提示領域に囲まれた領域のうちの中央領域を算出し、この算出結果として前記中央領域を示す中央領域データを前記提示画像作成手段に送出する中央領域算出手段を更に備えており、
前記提示画像作成手段は、前記中央領域データ及び前記選択位置に基づいて、前記選択位置が中央領域に向かって移動したとき、この選択位置上に提示されていた発話関連情報を中央領域に提示するように、前記中央領域データに基づいて提示画像データを作成することを特徴とする発話関連情報提示装置。
【請求項４】
発話関連情報及び検索キーワードが互いに関連付けて記憶された情報データベースと、互いに異なる位置に配置され、発話を音声信号に変換して入力するための複数のマイクと、提示領域設定手段と、手前領域設定手段と、提示開始位置算出手段と、検索キーワード抽出手段と、情報抽出手段と、提示位置算出手段と、提示画像作成手段と、情報提示手段とを備え、且つ複数のユーザのうち、発話をしたユーザの当該発話に関連した発話関連情報を提示する発話関連情報提示装置が実行する発話関連情報提示方法であって、
前記提示領域設定手段が、前記各ユーザに囲まれる領域のうちの外周側領域である提示領域を示す提示領域データを設定する工程と、
前記手前領域設定手段が、前記提示領域のうち、前記各ユーザの手前領域を示す複数の手前領域データを設定する工程と、
前記提示開始位置算出手段が、前記各マイクの位置と、前記発話が各マイクに到達した到達時間とに基づいて、前記各手前領域データの中から当該発話をしたユーザの手前領域データを選択し、当該手前領域データから提示開始位置を算出する工程と、
前記検索キーワード抽出手段が、前記情報データベース内の全ての検索キーワードと、前記音声信号に対応する発話情報とを比較し、当該発話情報に一致した検索キーワードを前記情報データベースから抽出する工程と、
前記情報抽出手段が、前記抽出された検索キーワードに関連する発話関連情報を前記情報データベースから抽出する工程と、
前記提示位置算出手段が、前記設定された提示領域データ、及び前記算出された提示開始位置に基づいて、当該提示開始位置から移動して前記提示領域上を巡回するように、発話関連情報の提示位置を時間変化に応じて算出する工程と、
前記提示画像作成手段が、前記算出された提示位置及び前記抽出された発話関連情報に基づいて、この発話関連情報を当該提示位置に提示するように提示画像データを作成する工程と、
前記情報提示手段が、前記提示画像データを提示する工程と、
を備えたことを特徴とする発話関連情報提示方法。
【請求項５】
請求項４に記載の発話関連情報提示方法において、
前記発話関連情報提示装置は、前記情報提示手段の情報提示面上に配置され、ユーザにより選択された選択位置を検出する位置検出手段を更に備え、
前記情報データベースには前記発話関連情報に関連付けて付随情報が記憶されている場合、
前記提示画像作成手段が、前記検出された選択位置に発話関連情報が提示されていたとき、当該発話関連情報に基づいて前記情報データベースから付随情報を抽出し、この付随情報をも提示するように提示画像データを作成する工程を更に備えたことを特徴とする発話関連情報提示方法。
【請求項６】
請求項５に記載の発話関連情報提示方法において、
前記発話関連情報提示装置が、前記提示領域データに基づいて、前記提示領域に囲まれた領域のうちの中央領域を算出し、この算出結果として前記中央領域を示す中央領域データを前記提示画像作成手段に送出する中央領域算出手段を更に備えている場合、
前記提示画像作成手段が、前記中央領域データ及び前記選択位置に基づいて、前記選択位置が中央領域に向かって移動したとき、この選択位置に提示されていた発話関連情報を中央領域に提示するように、前記中央領域データに基づいて提示画像データを作成する工程を更に備えたことを特徴とする発話関連情報提示方法。
【発明の詳細な説明】
【技術分野】
【０００１】
本発明は、会議等の発話に関連した情報を提示する発話関連情報提示装置及び方法に係り、例えば、各人が個々に情報を見たい場合に対応でき、議論の妨げにならず、発話者に効率的に情報を提示し得る発話関連情報提示装置及び方法に関する。
【背景技術】
【０００２】
従来、広告などの情報を提示する際に、Ｗｅｂページ等での検索キーワードに基づき、検索者の興味に応じた情報を提示する方式がある。しかしながら、従来の方式では、各人がキーワードを入力し、各人のパーソナルコンピュータ（以下、ＰＣ装置という）のモニタや携帯端末の画面に情報が提示されるので、例えば会議に用いる場合等のように、各人の興味に応じた情報を互いに共有する用途には対応していない。
【０００３】
一方、従来の方式でも、各人の興味に応じた情報が表示されたＰＣ装置のモニタの画面を、会議室の前方などにあるスクリーンに表示することにより、会議参加者の全員に情報を提示することが可能である。また、非特許文献１には、各人の発話音声に応じた情報をテーブルの中央に投影する方式が開示されている。
【０００４】
【非特許文献１】中茂睦裕、小林稔、中山彰、“テーブルトップへの画像刺激による遠隔コミュニケーションの分析”、ヒューマンインタフェースシンポジウム論文集（ＣＤ・ＲＯＭ）、Vol. 2006、 Page. 2422, 2006
【発明の開示】
【発明が解決しようとする課題】
【０００５】
しかしながら、従来の方式は、通常は特に問題ないが、本発明者の検討によれば、一つの情報を全員で同時に見て共有するため、各人が個々に情報を見たい場合に対応できない点で改善の余地がある。
また、非特許文献１に開示された方式は、テーブルの中央に絶えず情報が提示されることから、議論の妨げになる場合がある。さらに、非特許文献１に開示された方式は、発話者の位置とは無関係に情報が提示されることから、より興味のある発話者に効率的に情報を提示していない点で改善の余地がある。
【０００６】
本発明は上記実情を考慮してなされたもので、各人が個々に情報を見たい場合に対応でき、議論の妨げにならず、発話者に効率的に情報を提示し得る発話関連情報提示装置及び方法を提供することを目的とする。
【課題を解決するための手段】
【０００７】
上記目的を達成するために本発明の第１の局面は、複数のユーザのうち、発話をしたユーザの当該発話に関連した発話関連情報を提示する発話関連情報提示装置であって、前記発話関連情報及び検索キーワードが互いに関連付けて記憶された情報データベースと、互いに異なる位置に配置され、前記発話を音声信号に変換して入力するための複数のマイクと、前記各ユーザに囲まれる領域のうちの外周側領域である提示領域を示す提示領域データを設定するための提示領域設定手段と、前記提示領域のうち、前記各ユーザの手前領域を示す複数の手前領域データを設定するための手前領域設定手段と、前記各マイクの位置と、前記発話が各マイクに到達した到達時間とに基づいて、前記各手前領域データの中から当該発話をしたユーザの手前領域データを選択し、当該手前領域データから提示開始位置を算出する提示開始位置算出手段と、前記情報データベース内の全ての検索キーワードと、前記音声信号に対応する発話情報とを比較し、当該発話情報に一致した検索キーワードを前記情報データベースから抽出する検索キーワード抽出手段と、前記抽出された検索キーワードに関連する発話関連情報を前記情報データベースから抽出する情報抽出手段と、前記設定された提示領域データ、及び前記算出された提示開始位置に基づいて、当該提示開始位置から移動して前記提示領域上を巡回するように、発話関連情報の提示位置を時間変化に応じて算出する提示位置算出手段と、前記算出された提示位置及び前記抽出された発話関連情報に基づいて、この発話関連情報を当該提示位置に提示するように提示画像データを作成する提示画像作成手段と、前記提示画像データを提示する情報提示手段と、を備えた発話関連情報提示装置である。
【０００８】
本発明の第２の局面は、第１の局面において、前記情報提示手段の情報提示面上に配置され、ユーザにより選択された選択位置を検出する位置検出手段を更に備えており、前記情報データベースとしては、前記発話関連情報に関連付けて付随情報が記憶されており、前記提示画像作成手段としては、前記検出された選択位置上に提示されていた発話関連情報に基づいて、前記情報データベースから付随情報を抽出し、この付随情報をも提示するように提示画像データを作成するものとしている。
【０００９】
本発明の第３の局面は、第２の局面において、前記提示領域データに基づいて、前記提示領域に囲まれた領域のうちの中央領域を算出し、この算出結果として前記中央領域を示す中央領域データを前記提示画像作成手段に送出する中央領域算出手段を更に備えており、前記提示画像作成手段としては、前記中央領域データ及び前記選択位置に基づいて、前記選択位置が中央領域に向かって移動したとき、この選択位置上に提示されていた発話関連情報を中央領域に提示するように、前記中央領域データに基づいて提示画像データを作成するものとしている。
【００１０】
（作用）
第１の局面によれば、各ユーザに囲まれる領域内の外周側領域である提示領域のうち、発話をしたユーザの手前領域内の提示開始位置から提示領域上を巡回するように提示位置を時間変化に応じて算出し、ユーザの発話に関連する発話関連情報を当該提示位置に提示するための提示画像データを作成し、この提示画像データを提示する。
【００１１】
このとき、提示領域を巡回するように発話関連情報を提示するので、各人が個々に情報を見たい場合に対応でき、各人に囲まれる領域の外周側領域が提示領域であるので、議論の妨げにならず、発話をしたユーザの手前領域に提示開始位置があるので、発話者に効率的に情報を提示することができる。
【００１２】
第２の局面によれば、第１の局面において、ユーザにより選択された選択位置を検出し、この選択位置上に提示されていた発話関連情報に基づいて、この発話関連情報に関連する付随情報をも提示する構成により、第１の局面の作用に加え、各人が個々に付随情報を見たい場合に対応でき、付随情報に関連して議論の促進を図ることができ、選択したユーザに効率的に付随情報を提示することができる。
【００１３】
第３の局面によれば、第２の局面において、ユーザにより選択された選択位置が中央領域に向かって移動したとき、この選択位置上に提示されていた発話関連情報を中央領域に提示する構成により、第２の局面の作用に加え、各人が同時に情報を見たい場合に対応でき、中央領域の情報に関連して議論の促進を図ることができ、各人に効率的に情報を提示することができる。
【発明の効果】
【００１４】
以上説明したように本発明によれば、各人が個々に情報を見たい場合に対応でき、議論の妨げにならず、発話者に効率的に情報を提示できる。
【発明を実施するための最良の形態】
【００１５】
以下、本発明の各実施形態について図面を用いて説明する。  
図１は本発明の第１の実施形態に係る発話関連情報提示装置の外観を示す模式図であり、図２は同装置の構成を示す模式図であって、図３は同装置に用いられる広告情報データベースの構成を示す模式図である。この発話関連情報提示装置は、３本のマイク１１〜１３、ＰＣ装置２０及び情報提示部３０を備えている。
【００１６】
ここで、各マイク１１〜１３は、互いに異なる位置に配置され、発話を音声信号に変換してＰＣ装置に入力するものである。各マイク１１〜１３の位置としては、例えば、情報提示部３０の略中央に対向する上方空間内において、互いに正三角形の頂点となる位置が用いられる。なお、各マイク１１〜１３を各ユーザに１本ずつ用いてもよいが、ここでは３本のマイク１１〜１３を４人のユーザに同時に用いている。すなわち、マイクの本数とユーザ人数とは必ずしも関係が無い。
【００１７】
ＰＣ装置２０は、通常のパーソナルコンピュータの機能に加え、広告情報データベース２１、提示領域設定部２２、提示開始位置算出部２３、検索キーワード抽出部２４、情報抽出部２５及び提示画像算出部２６を備えている。なお、ＰＣ装置２０内の各部は、図示しないＣＰＵが、予めネットワーク又は記憶媒体からＰＣ装置２０にインストールされたプログラムを実行することにより実現可能となっている。これは以下の各実施形態でも同様である。
【００１８】
広告情報データベース２１は、図示しないキーボード又はマウス等の入力装置や、検索キーワード抽出部２４及び情報抽出部２５などから読出／書込可能な記憶装置であり、広告情報（発話関連情報）及び検索キーワードが互いに関連付けて記憶されている。なお、広告情報は、発話関連情報の一例である。発話関連情報としては、広告情報に限定されず、任意の情報を使用可能となっている。また、広告情報を用いる状況としては、例えば、旅行プランを決定する会議において、各ユーザ（会議参加者）の発話から、旅行に関連する広告情報（観光案内、宿泊情報、交通機関、旅行グッズ、など）を、各ユーザが囲むテーブル面（情報提示部３０の情報提示面）上の周縁部に回転寿司のように周回移動させて提示する場合を想定している。
【００１９】
提示領域設定部２２は、図示しない入力装置から入力された設定指令により、各ユーザに囲まれる領域のうちの外周側領域である提示領域を示す提示領域データを設定する機能と、設定した提示領域データを提示開始位置算出部２３及び提示画像算出部２６に送出する機能とをもっている。
【００２０】
提示開始位置算出部２３は、手前領域設定部２３ａ、領域情報記憶部２３ｂ及び手前領域選択部２３ｃを備えている。
手前領域設定部２３ａは、提示領域設定部２２から受けた提示領域データに示される提示領域のうち、各ユーザの手前領域を示す複数の手前領域データを設定する機能と、各ユーザの手前領域データを領域情報記憶部２３ｂに書き込む機能とをもっている。
【００２１】
領域情報記憶部２３ｂは、手前領域設定部２３ａから書き込まれた各ユーザの手前領域データを記憶する記憶装置である。
手前領域選択部２３ｃは、検索キーワード抽出部２４から受けた各マイク１１〜１３の位置と、各マイク１１〜１３への発話の到達時間とに基づいて、領域情報記憶部２３ｂ内の各手前領域データの中から当該発話をしたユーザの手前領域データを選択し、当該手前領域データから提示開始位置を算出する機能と、この提示開始位置を提示画像算出部２６に送出する機能とをもっている。
【００２２】
検索キーワード抽出部２４は、音声処理部２４ａ及びキーワード比較部２４ｂを備えている。
音声処理部２４ａは、各マイク１１〜１３から入力された音声信号に対応する発話情報を生成してキーワード比較部２４ｂに送出する機能と、各マイク１１〜１３の位置及び発話の到達時間を提示開始位置算出部２３に送出する機能とをもっている。
【００２３】
キーワード比較部２４ｂは、広告情報データベース２１内の全ての検索キーワードと、音声処理部２４ａから受けた発話情報とを比較し、当該発話情報に一致した検索キーワードを情報データベースから抽出する機能と、抽出した検索キーワードを情報抽出部２５に送出する機能とをもっている。
【００２４】
情報抽出部２５は、キーワード比較部２４ｂから送出された検索キーワードに関連する広告情報を広告情報データベース２１から抽出する機能と、抽出した広告情報を提示画像算出部２６に送出する機能とをもっている。
提示画像算出部２６は、提示位置算出部２６ａ及び提示画像作成部２６ｂを備えている。
【００２５】
提示位置算出部２６ａは、提示領域設定部２２により設定された提示領域データ、提示画像作成部２６ｂから受けた現在時刻、及び提示開始位置算出部２３により算出された提示開始位置に基づいて、当該提示開始位置から移動して提示領域上を巡回するように、広告情報の提示位置を時間変化に応じて算出する機能と、この算出した提示位置を提示画像作成部２６ｂに送出する機能とをもっている。なお、提示位置算出部２６ａは、現在時刻を提示画像作成部２６ｂから受けずに、図示しないタイマ機能部から受けてもよい。
【００２６】
提示画像作成部２６ｂは、提示位置算出部２６ａにより算出された提示位置及び情報抽出部２５により抽出された広告情報に基づいて、この広告情報を当該提示位置に提示するように提示画像データを作成する機能と、この提示画像データを情報提示部３０に送出する機能とをもっている。
【００２７】
情報提示部３０は、通常のディスプレイ装置の機能を有し、情報提示面が略水平になるようにテーブルとして用いられ、提示画像作成部２６ｂから受けた提示画像データを提示する機能をもっている。ここで、ディスプレイ装置としては、例えば、ＥＬディスプレイ装置、液晶ディスプレイ装置又はプラズマディスプレイ装置といった任意の装置が使用可能となっている。また、情報提示部３０は、ディスプレイ装置をテーブルとして用いる場合に限らず、ディスプレイ装置ではない通常のテーブルに対し、情報を投影するプロジェクタ装置として実現してもよい。
【００２８】
次に、以上のように構成された発話関連情報提示装置による発話関連情報提示方法について図４のフローチャートを用いて説明する。
始めに、ＰＣ装置２０においては、図示しないキーボード又はマウス等の入力装置の操作により、広告情報（発話関連情報）及び検索キーワードが互いに関連付けて広告情報データベース２１に登録される（ＳＴ１）。検索キーワードとしては、広告情報に関連する正しい単語から構成されたキーワードだけでなく、そのキーワードを言い問違えした場合や、音声認識の誤りを考慮して、ある程度似通った単語なども登録しておくことが好ましい。
【００２９】
続いて、ＰＣ装置２０においては、提示領域設定部２２が、図示しない入力装置から入力された設定指令により、各ユーザに囲まれる領域のうちの外周側領域である提示領域を示す提示領域データを設定する（ＳＴ２）。提示領域データは、例えば図５に示すように、情報提示部３０の情報提示面の外周側領域である提示領域Ａを示しており、長辺の長さＬｘ、短辺の長さＬｙ及び幅ｄから構成される。なお、提示領域データは、過去のデータ等によりデフォルト値を設定しておいてもよい。いずれにしても設定した提示領域データは、提示開始位置算出部２３及び提示画像算出部２６に送出される。
【００３０】
提示開始位置算出部２３では、手前領域設定部２３ａが、この提示領域データに示される提示領域Ａのうち、各ユーザの手前領域を示す複数の手前領域データを設定し、各ユーザの手前領域データを領域情報記憶部２３ｂに書き込む。手前領域データは、例えば図６に示すように、手前領域ＵＡ１，…ＵＡ４の長辺の長さｓと、情報提示部中心３０ｏを通って情報提示部３０長辺に平行な仮想基準線ＶＬと当該情報提示部中心３０ｏから各ユーザＵ１〜Ｕ４を結ぶ仮想線との間の角度α１〜α４と、から構成されている。
【００３１】
ここで、ＰＣ装置２０は、各ユーザＵ１〜Ｕ４の発話が無ければ発話があるまで待機する（ＳＴ３；Ｎｏ）。一方、ＰＣ装置２０では、いずれかのユーザ（例、ユーザＵ４）に発話があれば（ＳＴ３；Ｙｅｓ）、音声処理部２４ａが、各マイク１１〜１３から入力された音声信号に対応する発話情報を生成してキーワード比較部２４ｂに送出すると共に、各マイク１１〜１３の位置及び発話の到達時間を提示開始位置算出部２３に送出する。
【００３２】
提示開始位置算出部２３では、手前領域選択部２３ｃが、この各マイク１１〜１３の位置と、各マイク１１〜１３への発話の到達時間とに基づいて、領域情報記憶部２３ｂ内の各手前領域データの中から、当該発話をしたユーザ（以下、発話者ともいう）Ｕ４の手前領域データを選択する。
【００３３】
ここで、手前領域データを選択する方法について説明する。発話したユーザＵ４の音声を複数のマイク１１〜１３で拾い、各マイク１１〜１３からＰＣ装置２０に入力された音声信号の違いから、例えば声の大きさや到達時間から、発話した方向を推定する方法がある。推定される方向は、精度が低く、図７の破線三角形で示すように、ある程度幅のある値になる可能性もある。
【００３４】
そして、発話した方向と、予め設定した各ユーザＵ１〜Ｕ４の手前領域の角度α１〜α４とを比較し、発話した方向に最も近い角度に基づいて、発話したユーザＵ４の手前領域ＵＡ４を選択できる。例えば図８に示すように、発話した方向が仮想基準線ＶＬから図面の右上方向βとして検出された時、右上方向βに最も近い角度α４に対応する手前領域ＵＡ４を示す手前領域データを選択する。なお、図９に示す如き、各マイク１１〜１３の位置と、各マイク１１〜１３への到達時間とに基づく方向θは、例えば図１０に示すように、仮想基準線ＶＬに沿った２本のマイク１１，１２の位置から得られる間隔Ｌ、当該マイク１１，１２間の到達時間差μ、及び音速ｃからθ＝ｃｏｓ-1（μｃ／Ｌ）として算出できる。また、残り１本のマイク１３への到達時間は、算出した角度θが、図１０の右上方向又は右下方向のいずれに対応する角度かの識別に用いられる。残り１本のマイク１３への到達時間が他のマイク１１，１２への到達時間よりも短い場合には、角度θは図１０の右上方向に対応する。残り１本のマイク１３への到達時間が他のマイク１１，１２への到達時間よりも長い場合には、角度θは図１０の右下方向に対応する。
【００３５】
いずれにしても、手前領域選択部２３ｃは、選択した手前領域データから提示開始位置を算出して提示画像算出部２６に送出する（ＳＴ４）。
キーワード比較部２４ｂでは、広告情報データベース２１内の全ての検索キーワードと、音声処理部２４ａから受けた発話情報とを比較し、一致した検索キーワードが無ければ（ＳＴ５）、処理を終了する。
【００３６】
また、キーワード比較部２４ｂでは、比較の結果、当該発話情報に一致した検索キーワードがあれば（ＳＴ５；Ｙｅｓ）、この検索キーワードを情報データベースから抽出して情報抽出部２５に送出する。
情報抽出部２５は、送出された検索キーワードに関連する広告情報を広告情報データベース２１から抽出し（ＳＴ６）、この広告情報を提示画像算出部２６に送出する。
【００３７】
提示画像算出部２６においては、提示位置算出部２６ａが、提示領域データ、現在時刻及び提示開始位置に基づいて、当該提示開始位置から移動して提示領域上を巡回するように、広告情報の提示位置を時間変化に応じて算出し（ＳＴ７）、この算出した提示位置を提示画像作成部２６ｂに送出する。
【００３８】
提示画像作成部２６ｂは、この提示位置及び情報抽出部２５により抽出された広告情報に基づいて、この広告情報を当該提示位置に提示するように提示画像データを作成する（ＳＴ８）。
提示画像作成部２６ｂは、この提示画像データを情報提示部３０に送出する。なお、提示画像データは、１つの広告情報を含む場合に限らず、各ユーザＵ１〜Ｕ４の発話に応じて複数の広告情報を含む場合もある。
【００３９】
情報提示部３０は、提示画像作成部２６ｂから受けた提示画像データを提示する（ＳＴ９）。以上のステップＳＴ３〜ＳＴ９の動作は、提示動作の終了（例、会議の終了）まで繰り返される（ＳＴ１０）。
［広告情報の提示の例］
提示画像データの提示開始により、広告情報は、提示開始位置に対応する手前提示領域Ａに一定時間停留して提示される。
【００４０】
停留提示の後、この広告情報は、時間に応じて算出された提示位置に基づき、長方形の枠状の提示領域Ａを巡回して移動するように提示される。この移動速度や停留時間は予め設定しておけばよい。また、複数の広告情報が提示中の場合、広告情報毎に、提示位置が算出される。
【００４１】
提示位置の算出の具体例を図１１及び図１２を用いて述べる。  
あるユーザＵ１の発話から新たに広告情報Ａｄｖが抽出されると、その広告情報Ａｄｖは、縦方向をｙ軸とし、横方向をｘ軸としたｘｙ座標上の位置Ｐ０（ｘ０、ｙ０）で示すように、発話者の手前領域ＵＡ１の中央に提示される（時刻ｔ０）。このとき、広告情報Ａｄｖは、始めから手前領域ＵＡ１の中央に提示してもよく、また、手前領域ＵＡ１の右端から左側に少し移動して中央位置で止まることにより、手前領域ＵＡ１の中央に提示してもよい。いずれにしても、広告情報Ａｄｖは、手前領域中央の提示開始位置Ｐ０（ｘ０、ｙ０）に提示される。
【００４２】
広告情報Ａｄｖは、提示開始位置Ｐ０（ｘ０、ｙ０）に一定時間停留して提示される（時刻ｔ０〜ｔ１）。しかる後、広告情報Ａｄｖは、最初のコーナーＣ２（Ｌ_ｘ，ｙ０）に到着するまでの間、図面左側に一定速度ｖで移動するように提示される（時刻ｔ１〜ｔ２）。このとき、提示位置Ｐ（ｘ１，ｙ０）は、時刻ｔの変化に応じてＰ（ｘ０＋ｖ×（ｔ−ｔ１）、ｙ０）と算出される。すなわち、ｘ座標上の位置がｘ１＝ｘ０＋ｖ×（ｔ−ｔ１）として変化する。なお、時刻ｔ２は、ｔ２＝｛（Ｌ_ｘ−ｘ０）／ｖ｝＋ｔ１となる。
【００４３】
広告情報Ａｄｖが最初のコーナーＣ２（Ｌ_ｘ，ｙ０）に到着すると、広告情報Ａｄｖは下側が常に提示領域Ａの外側に向くように９０度右回転して提示される（時刻ｔ２）。この回転は他のコーナーＣ３，Ｃ４，Ｃ１でも同様に実行される。
次に、広告情報Ａｄｖは、コーナーＣ２（Ｌ_ｘ，ｙ０）からＣ３（Ｌ_ｘ，Ｌ_ｙ）に到着するまでの間、図面上側に一定速度ｖで移動するように提示される（時刻ｔ２〜ｔ３）。このとき、提示位置Ｐ（Ｌ_ｘ，ｙ２）は、時刻ｔの変化に応じてＰ（Ｌ_ｘ，ｙ０＋ｖ×（ｔ−ｔ２））と算出される。すなわち、ｙ座標上の位置がｙ２＝ｙ０＋ｖ×（ｔ−ｔ２）として変化する。なお、時刻ｔ３は、ｔ３＝（Ｌ_ｙ／ｖ）＋ｔ２である。
【００４４】
その後同様に、コーナーＣ３からＣ４へ移動し（時刻ｔ３〜ｔ４）、９０度右回転してコーナーＣ４からＣ１へ移動し（時刻ｔ４〜ｔ５）、９０度右回転してコーナーＣ１から元の提示開始位置Ｐ（ｘ０，ｙ０）に戻り（時刻ｔ５〜ｔ６）、消去される（時刻ｔ６）。なお、元の提示開始位置Ｐ（ｘ０，ｙ０）に戻った後も更に提示を続ける場合には、再度コーナーＣ２へと、同様に移動を繰り返す。また、広告情報Ａｄｖは、元の提示開始位置に戻り、一定時間表示された後に提示を終了してもよい。また、各広告情報Ａｄｖの移動中に、新しい広告情報Ａｄｖが古い広告情報Ａｄｖに重ならないように、提示位置を調整してもよい。
【００４５】
上述したように本実施形態によれば、各ユーザに囲まれる領域内の外周側領域である提示領域のうち、発話をしたユーザの手前領域内の提示開始位置から提示領域上を巡回するように提示位置を時間変化に応じて算出し、ユーザの発話に関連する発話関連情報を当該提示位置に提示するための提示画像データを作成し、この提示画像データを提示する。
【００４６】
このとき、提示領域を巡回するように発話関連情報を提示するので、各人が個々に情報を見たい場合に対応でき、各人に囲まれる領域の外周側領域が提示領域であるので、議論の妨げにならず、発話をしたユーザの手前領域に提示開始位置があるので、発話者に効率的に情報を提示することができる。
【００４７】
補足すると、会議中の各人の発話等のキーワードに基づき検索した広告（バナー広告）などの情報を、会議参加者が囲むテーブル面上の内側周辺（テーブル縁よりの内部周辺で、各会議参加者手前）に流れるように提示させることで、その発話者を含めた会議参加者に互いに広告などの情報を共有させることができる。
【００４８】
また、本実施形態は、従来とは異なり、会議室の一面やテーブル中央といった一つの場所に広告情報Ａｄｖを提示して各ユーザＵ１〜Ｕ４が同時に共有する手法ではない。本実施形態は、あたかも回転寿司のように広告情報Ａｄｖを各ユーザＵ１〜Ｕ４の手前に提示して流していく手法のため、会話の邪魔にならずに、広告情報Ａｄｖを各ユーザＵ１〜Ｕ４に個別に提示して共有することができる。
【００４９】
また、広告情報Ａｄｖを各ユーザＵ１〜Ｕ４の手前に提示して流していくので、各ユーザＵ１〜Ｕ４が認識しやすく、話題に応じてユーザの注意を広告情報Ａｄｖにシームレスに移しやすくすることができる。
また、発話したユーザＵ４，Ｕ１の手前領域ＵＡ４，ＵＡ１の中央を提示開始位置とすることで、より興味のある対象人物に効率的に広告などの情報を提示する等ができる。また、広告情報Ａｄｖを提示開始から一定時間停留させる場合、広告情報Ａｄｖをより一層、効率的に提示することができる。
【００５０】
（第１の実施形態の変形例）
本実施形態は以下の変形例（１−１）〜（１−７）のように変形してもよい。  
（１−１）各コーナーでの回転中、広告情報Ａｄｖが提示領域から出ないように、広告情報Ａｄｖを変形させてもよい。例えば、コーナーがカーブの曲線の場合もあるので、その曲線から出ないように広告情報Ａｄｖを変形させる場合もある。この種の変形としては、例えば図１３に示すように、長方形状の広告情報Ａｄｖをアーチ状に湾曲させる虹形変形が使用可能となっている。なお、虹形変形の計算式及びプログラムは、例えば、昌達慶仁著、「詳解 画像処理プログラミング」、ソフトバンククリエイティブ株式会社、２００８年３月３０日、初版、ｐ２３０−２３２，２４０−２４３に記載されている。なお、文献記載の虹形変形をそのまま用いる場合、正確には広告情報Ａｄｖを上下回転した後に虹形変形すると、下側が広がった広告情報Ａｄｖ’となり、下側が常に提示領域Ａの外側を向いた状態で広告情報Ａｄｖ’をコーナーから出ないように提示することができる。また、虹形変形は、広告情報Ａｄｖの全体に施す場合に限らず、広告情報Ａｄｖの左半分又は右半分だけといった部分的に施す場合を付加することにより、広告情報Ａｄｖを連続的に変形させるように用いてもよい。
【００５１】
（１−２）情報提示部３０をディスプレイ装置に代えてプロジェクタ装置とし、各ユーザＵ１〜Ｕ４が情報提示部３０を囲む状況に代えて、テーブルを囲む状況とする。このテーブルは、プロジェクタ装置から提示画像データが投影されることにより、広告情報Ａｄｖを提示する。
【００５２】
これに伴い、提示領域設定部２２は、テーブル外周側の提示領域Ａを示す提示領域データを算出する。算出方法としては、例えばテーブル領域をカメラ画像から検出し、このテーブル領域から算出する方式がある。具体的には図１４の上半分に示すように、テーブルＴが存在する場所を上部からカメラ４１で撮影し、テーブルＴがない場合とある場合の画像情報を提示領域設定部２２内の場所画像記憶部２２ａに保存する。テーブル領域算出部２２ｂは、場所画像記憶部２２ａ内の両画像情報の差分から、または、予め設定されたテーブルＴの色情報から、テーブル領域を算出して提示領域抽出部２２ｃに送出する。提示領域抽出部２２ｃは、画像情報内のテーブル領域の座標を現実の座標に変換し、現実の座標のテーブル領域の周縁から幅ｄの提示領域Ａを抽出して提示領域データを算出する。
【００５３】
（１−３）情報提示方法によっては会議参加者が囲むテーブル全てに情報を提示できない場合があることから、提示可能な領域をテーブル領域とする場合もある。この場合、提示領域抽出部２２ｃは、会議参加者が囲むテーブル領域から、そのテーブル領域の内側領域の形状・大きさを設定しておくことで、会議参加者が囲むテーブルの内側周辺の参加者手前を提示領域とする。この提示領域Ａの検出は、逐次行うこともあるし、最初だけまたは途中の調整設置時にのみ行うこともある。
【００５４】
（１−４）テーブル領域算出部２２ｂを省略し、提示領域抽出部２２ｃが各ユーザの位置から提示領域データを設定してもよい。図示しない入力装置から予め提示領域の形状と幅を、例えば図１５に示すように円のドーナツ型で幅ｄとして提示領域抽出部２２ｃに設定しておき、提示領域抽出部２２ｃが、場所画像記憶部２２ａ内の画像情報から得られる各ユーザＵ１〜Ｕ３の位置に基づいて、各位置の中央または重心位置を求めてテーブル領域中心とし、各ユーザＵ１〜Ｕ３が存在する領域と重ならないような半径Ｒの円のドーナツ型領域を設定する方法もある。なお、半径Ｒは、テーブル領域中心と、各ユーザＵ１，Ｕ２，Ｕ３の位置との間の距離よりも所定値（例、手首と肘との間の長さ程度：約２０〜３０ｃｍ）だけ小さい値であり、提示領域抽出部２２ｃにより算出される。また実際のテーブルは長方形だが、角が丸みのある領域にすることや、テーブルの一方に各ユーザが寄っていることに伴い、テーブル内の一部の領域を提示領域Ａ’とするなど、実際のテーブルとは異なる形状でテーブル領域の内側領域の形状・大きさを設定しておく方法もある。
【００５５】
（１−５）発話をしたユーザＵ４の手前領域ＵＡ４の設定方法について述べる。
前処理として、全てのユーザＵ１〜Ｕ４の手前領域ＵＡ１〜ＵＡ４を設定し、且つ各ユーザＵ１〜Ｕ４が仮想基準線ＶＬからどの角度α１〜α４にいるのかを検出する。
手前領域設定部２３ａは、図１６に示すように、各ユーザＵ１〜Ｕ４がテーブルを囲んだ状況を上方から撮影したカメラ画像から、提示領域（点模様の領域）と、各ユーザＵ１〜Ｕ４の存在領域（中央に凸部を有する略楕円状の領域）とを抽出する。
【００５６】
各ユーザＵ１〜Ｕ４の存在領域は、カメラ４１によりユーザ不在時の状況を撮影した画像情報と、同カメラ４１によりユーザ着席後の状況を撮影した画像情報との差分から検出できる。この時、テーブル上の資料を検出しないように、テーブル領域を差分の検出対象から除外する必要がある。ただし、テーブル領域にはユーザの頭が重なる場合があるので、除外する領域をテーブル外周側の提示領域よりも内側に設定する必要がある。
【００５７】
また、全てのユーザがテーブル周囲にいることを前提とし、提示領域Ａの外側のみを差分の検出対象としてもよい。また、テーブルからかなり離れたユーザを差分の検出対象から除外してもよい。また、各ユーザＵ１〜Ｕ４の大きさ（例、肩幅）の概略値などを予め設定しておき、その概略値よりも小さすぎる差分検出結果（例、資料など）を無視してもよい。
【００５８】
さらに、手の領域などを省いた頭や肩のみの領域で中心（または重心）を求めるために、色や形状を考慮して各ユーザＵ１〜Ｕ４の存在領域を抽出することもある。このように設定した差分検出によって、各ユーザＵ１〜Ｕ４の存在領域を逐次検出し、会議の途中から別のユーザが加入しても対処可能である。ただし、各ユーザＵ１〜Ｕ４の存在領域は、逐次検出してもよく、最初だけ又は途中の調整設置時にのみ検出してもよい。検出したユーザの存在領域から、ユーザの存在領域の中心（または重心）を求め、当該中心（または重心）から提示領域Ａに重なる半径ｒの円を描く。この円は、提示領域Ａの中心線と重なる２点の位置の距離がユーザの肩幅または肩幅に近い値となるような半径ｒの大きさとする。この実線の円と破線の中心線とが交差した２点間の距離ｓから、図６に述べた如き、各ユーザＵ１〜Ｕ４の手前領域ＵＡ１〜ＵＡ４を設定する。なお、この距離ｓは、手前領域ＵＡ１〜ＵＡ４の横幅の一例であり、厳密な値にする必要はない。手前領域ＵＡ１〜ＵＡ４の横幅は、各ユーザＵ１〜Ｕ４の手前をある程度覆いつつも広すぎず、かつ隣どうし重ならないように設定すればよい。なお各ユーザの手前領域ＵＡ１〜ＵＡ４は、逐次行うこともあるし、最初だけまたは途中の調整設置時にのみ行うこともある。
【００５９】
（１−６）仮想基準線ＶＬからの各ユーザＵ１〜Ｕ４の角度α１〜α４を検出する例を示す。先にカメラ４１の画像情報の差分から求めた各ユーザＵ１〜Ｕ４の中心と提示領域Ａに囲まれた領域の中心とを結んだ線と、仮想基準線ＶＬとのなす角α１〜α４を求めればよい。各ユーザＵ１〜Ｕ４の手前領域には、対応する角度α１〜α４を付属情報として記憶しておく。その他、各ユーザＵ１〜Ｕ４の手前領域ＵＡ１〜ＵＡ４を設定する方法としては、各ユーザＵ１〜Ｕ４の存在する角度α１〜α４を求めた後、図７のように、各ユーザＵ１〜Ｕ４の中心とテーブルの中心とをつないだ線に対し、前後に広げた角度βをなす線と提示領域Ａの外側の線とが交差する２点間の距離ｓを求め、その距離ｓから手前領域を設定する。また、各ユーザＵ１〜Ｕ４の位置から設定するのではなく、固定のテーブルや椅子の位置座標から手前領域を設定してもよい。
【００６０】
（１−７）前処理を終えた後、あるユーザＵ４が発話をしたとき、この発話のあった方向θを検出する。発話者の方向検出としては、例えば図１４の下半分に示すように複数カメラ４２，４３または全方位カメラ（図示せず）によって各ユーザＵ１〜Ｕ４の顔画像を撮影して画像情報を参加者画像記憶部２３ｄに記憶しておき、手前領域選択部２３ｃが、各ユーザＵ１〜Ｕ４の口の開閉を参加者画像記憶部２３ｄ内の画像情報から検出し、画像情報を出力したカメラ４２，４３の位置に基づいて、当該方向θを推定してもよい。
【００６１】
（第２の実施形態）
図１７は本発明の第２の実施形態に係る発話関連情報提示装置の外観を示す模式図であり、図１８は同装置の構成を示す模式図であり、図１９は同装置に用いられる広告情報データベースの構成を示す模式図であって、前述した図面と同一部分には同一符号を付してその詳しい説明を省略し、ここでは異なる部分について主に述べる。なお、以下の各実施形態も同様にして重複した説明を省略する。
【００６２】
すなわち、本実施形態は、第１の実施形態に対し、提示した広告情報を操作したい観点から、接触位置検出手段としての情報選択・操作部５０を付加した構成となっている。
ここで、情報選択・操作部５０は、情報提示部３０の情報提示面上に配置され、ユーザにより選択された選択位置としての接触位置を検出するタッチパネルであり、検出した接触位置をＰＣ装置２０に送出する機能をもっている。
【００６３】
これに伴い、広告情報データベース２１は、図１９に示すように、広告情報に関連付けて詳細情報（付随情報）が記憶されている。なお、詳細情報は、例えば広告情報が見出しや題名等が書かれたバナー広告を表す場合、製品の画像やスペックや連絡先等が適宜使用可能となっている。但し、詳細情報は、付随情報の一例であり、詳細を表す情報に代えて、詳細を表していない関連情報といった任意の付随情報を用いてもよい。
【００６４】
また、提示画像作成部２６ｂは、情報選択・操作部５０により検出された接触位置上に提示されていた広告情報に基づいて、広告情報データベース２１から詳細情報を抽出し、この詳細情報をも提示するように提示画像データを作成する機能をもっている。なお、提示画像作成部２６ｂは、詳細情報の提示に限らず、接触位置の移動パターンに応じて、移動停止、即時消去、提示時間の変更、などの任意の操作に対応させた提示画像データを作成してもよい。また、移動中の広告情報は、移動を停止した広告情報を追い越すように提示すればよい。
【００６５】
また、提示時間の変更としては、例えば接触して選択された広告情報の提示時間を、接触されていない広告情報の提示時間よりも長くすればよい。例えば単純には、提示開始時又は選択時から一定時間後に広告情報を消去する設定により、選択された広告情報の提示時間をリセットすればよい。
【００６６】
これらの操作は、広告情報に接触した時間や、接触場所や接触場所の変化、また手の動き等によって変化するよう設定することが可能である。具体的な提示方法や操作方法は、予め設定可能であり、逐次切り替える設定も可能である。
次に、以上のように構成された発話関連情報提示装置による発話関連情報提示方法について図２０を参照しながら説明する。
【００６７】
始めに、ＰＣ装置２０においては、図示しないキーボード又はマウス等の入力装置の操作により、広告情報（発話関連情報）、検索キーワード及び詳細情報が互いに関連付けて広告情報データベース２１に登録される（ＳＴ１’）。すなわち、前述とは異なり、詳細情報も登録されている。
【００６８】
続いて、発話関連情報提示装置においては、前述した通り、ステップＳＴ２〜ＳＴ１０を実行し、提示領域Ａを巡回する広告情報を情報提示部３０に提示中であるとする。
このとき、提示画像作成部２６ｂは、情報選択・操作部５０により広告情報の選択・操作が検出されなければ（ＳＴ８ａ；Ｎｏ）、前述した通り、提示画像算出部２６により算出された提示位置及び情報抽出部２５により抽出された広告情報に基づいて、この広告情報を当該提示位置に提示するように提示画像データを作成する（ＳＴ８）。
【００６９】
一方、提示画像作成部２６ｂは、情報選択・操作部５０により広告情報の選択・操作が検出されると（ＳＴ８ａ；Ｙｅｓ）、前述した広告情報の提示に加え、情報選択・操作部５０により検出された接触位置上に提示されていた広告情報に基づいて、広告情報データベース２１から詳細情報を抽出し、この詳細情報をも提示するように提示画像データを作成する（ＳＴ８ｂ）。
【００７０】
これにより、広告情報の選択・操作が検出された場合には、前述した広告情報の提示に加え、選択・操作対象の広告情報に関連する詳細情報の提示も実行される。
上述したように本実施形態によれば、第１の実施形態の効果に加え、情報提示部３０の周囲に表示された広告情報を選択し、その詳細情報を提示することにより、より詳細に議論することができる。また、各ユーザが個々に詳細情報を見たい場合に対応でき、詳細情報に関連して議論の促進を図ることができ、選択したユーザに効率的に詳細情報を提示することができる。
【００７１】
（第２の実施形態の変形例）
なお、本実施形態は、第１の実施形態の変形例に組み合わせてもよい。具体的には、前述したタッチパネルからなる情報選択・操作部５０に代えて、図２１に示すように、テーブルＴの場所を撮影するカメラ４１により得られた場所画像記憶部２２ａ内の画像情報に基づいて、各画像情報の差分からユーザの手と広告情報画像との重なり位置（ユーザにより選択された選択位置）を検出する機能や、画像情報から得られるユーザの手の形から手の動きを検出する機能を有する情報選択・操作部５０’を備えた構成に変形してもよい。この場合、カメラ４１、場所画像記憶部２２ａ及び情報選択・操作部５０’が位置検出手段を構成している。
【００７２】
提示領域算出部２６は、提示領域Ａに対する時間変化に応じた各広告情報の提示位置を算出して提示画像データを作成することから、提示位置毎に広告情報を把握しているため、ユーザの手の位置と重なった広告情報を選択でき、選択した広告情報に対応する詳細情報を広告情報データベース２１から抽出して提示することができる。
【００７３】
（第３の実施形態）
図２２は本発明の第３の実施形態に係る発話関連情報提示装置の外観を示す模式図であり、図２３は同装置の構成を示す模式図である。
すなわち、本実施形態は、第２の実施形態に対し、巡回する広告情報を操作して中央領域に提示したい観点から、中央領域算出部２７を付加した構成となっている。
【００７４】
ここで、中央領域算出部２７は、提示領域設定部２２に設定された提示領域データに基づいて、提示領域Ａに囲まれた領域のうちの中央領域を算出し、この算出結果として中央領域を示す中央領域データを提示画像作成部２６ｂに送出する機能をもっている。なお、中央領域データは、例えば中心位置及び半径であるが、これに限定されず、中央領域を示すデータであればよい。
【００７５】
これに伴い、提示画像作成部２６ｂは、中央領域算出部２７から受けた中央領域データ及び情報選択・操作部５０により検出された接触位置に基づいて、この接触位置が中央領域に向かって移動したとき、この接触位置上に提示されていた広告情報を中央領域に提示するように、中央領域データに基づいて提示画像データを作成する機能をもっている。
【００７６】
また、提示画像作成部２６ｂは、中央領域での提示に限らず、接触位置の検出パターンに応じて、中央領域に提示中の広告情報の大きさや向きを変更させた提示画像データを作成してもよい。さらに、提示画像作成部２６ｂは、接触位置の検出パターンに応じて、中央領域に提示中の広告情報を、元の外周側の提示領域Ａに提示するように提示画像データを作成してもよい。接触位置の検出パターンは、広告情報に接触した時間や、接触場所や接触場所の変化、また手の動き等によって設定することが可能である。具体的な提示方法や操作方法は、予め設定可能であり、逐次切り替える設定も可能である。例えば、ある広告情報を選択するために接触した指を中央の領域の方向に動かすことで、広告情報を中央領域に提示し、戻す時は同様の逆方向に動きをする。または、中央領域に提示した広告情報についても、中央領域での提示開始から一定時間後、またはユーザの接触から一定時間後に、消去する設定としてもよい。広告情報の大きさや向きを変える操作も、ユーザの手の動きで行うとし、例えば一定時間触っていたら大きさが変わるとか、弧を描くように動かすと向きが変わるなど、任意の検出パターンを設定可能である。
【００７７】
次に、以上のように構成された発話関連情報提示装置による発話関連情報提示方法について図２４を参照しながら説明する。
始めに、ＰＣ装置２０においては、前述した通り、ステップＳＴ１，ＳＴ２を実行したとする。また、ＰＣ装置２０においては、中央領域算出部２７が、提示領域設定部２２に設定された提示領域データに基づいて、提示領域Ａに囲まれた領域のうちの中央領域を算出し、この算出結果として中央領域を示す中央領域データを提示画像作成部２６ｂに送出する。
【００７８】
続いて、発話関連情報提示装置は、前述したステップＳＴ３〜ステップＳＴ８ａ、ＳＴ８〜ＳＴ１０を実行し、提示領域Ａを巡回する広告情報を情報提示部３０に提示中であるとする。
このとき、提示画像作成部２６ｂは、情報選択・操作部５０により広告情報の選択・操作が検出されなければ（ＳＴ８ａ；Ｎｏ）、前述した通り、ステップＳＴ８を実行する。
【００７９】
一方、提示画像作成部２６ｂは、情報選択・操作部５０により広告情報の選択・操作が検出されると（ＳＴ８ａ；Ｙｅｓ）、前述した外周側の提示領域での広告情報の提示を、中央領域での広告情報の提示に切り替える。すなわち、提示画像作成部２６ｂは、中央領域算出部２７から受けた中央領域データ及び情報選択・操作部５０により検出された接触位置に基づいて、この接触位置が中央領域に向かって移動したとき、この接触位置上に提示されていた広告情報を中央領域に提示するように、中央領域データに基づいて提示画像データを作成する（ＳＴ８ｂ’）。
【００８０】
これにより、広告情報の選択・操作が検出された場合には、前述した外周側の提示領域での広告情報の提示を中止し、選択・操作対象の広告情報を中央領域に提示することができる。さらに、中央領域に提示中の広告情報の大きさや向きを変更する等の操作を実行できる。
【００８１】
具体的には、予め会議参加者が囲むテーブルの中央の提示領域を示す中央領域データを算出する。そして、会議参加者が提示領域Ａに提示中の広告情報を選択し、中央に表示を切り替える操作を行う。
上述したように本実施形態によれば、第２の実施形態の効果に加え、選択した広告情報を中央領域に提示できるので、選択した広告情報について、各ユーザＵ１〜Ｕ４間で議論することができる。また、各ユーザが同時に情報を見たい場合に対応でき、中央領域の情報に関連して議論の促進を図ることができ、各ユーザに効率的に情報を提示することができる。
【００８２】
（第３の実施形態の変形例）
なお、本実施形態は、第２の実施形態の変形例に組み合わせてもよい。具体的には前述同様に、タッチパネルからなる情報選択・操作部５０に代えて、図２１に示した如き、カメラ４１、場所画像記憶部２２ａ及び情報選択・操作部５０’を備えた構成により、広告情報を選択し、この広告情報を中央領域に提示してもよい。
【００８３】
なお、上記実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）、光磁気ディスク（ＭＯ）、半導体メモリなどの記憶媒体に格納して頒布することもできる。
【００８４】
また、本願発明は、上記実施形態や変形例そのままに限定されるものではなく、実施段階ではその要旨を逸脱しない範囲で構成要素を変形して具体化できる。また、上記実施形態及び変形例に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。  
【図面の簡単な説明】
【００８５】
【図１】本発明の第１の実施形態に係る発話関連情報提示装置の外観を示す模式図である。
【図２】同実施形態における同装置の構成を示す模式図である。
【図３】同実施形態における広告情報データベースの構成を示す模式図である。
【図４】同実施形態における発話関連情報提示方法を説明するためのフローチャートである。
【図５】同実施形態における提示領域データを説明するための模式図である。
【図６】同実施形態における手前領域データを説明するための模式図である。
【図７】同実施形態における手前領域データの選択方法を説明するための模式図である。
【図８】同実施形態における手前領域データの選択方法を説明するための模式図である。
【図９】同実施形態における手前領域データの選択方法を説明するための模式図である。
【図１０】同実施形態における手前領域データの選択方法を説明するための模式図である。
【図１１】同実施形態における提示位置の算出の具体例を説明するための模式図である。
【図１２】同実施形態における提示位置の算出の具体例を説明するための模式図である。
【図１３】同実施形態の変形例における広告情報の変形処理を示す模式図である。
【図１４】同実施形態の変形例におけるカメラを用いた方式を示す模式図である。
【図１５】同実施形態の変形例におけるドーナツ型の提示領域を示す模式図である。
【図１６】同実施形態の変形例における手前領域の設定方法を説明するための模式図である。
【図１７】本発明の第２の実施形態に係る発話関連情報提示装置の外観を示す模式図である。
【図１８】同実施形態における同装置の構成を示す模式図である。
【図１９】同実施形態における広告情報データベースの構成を示す模式図である。
【図２０】同実施形態における発話関連情報提示方法を説明するためのフローチャートである。
【図２１】同実施形態の変形例におけるカメラを用いた方式を示す模式図である。
【図２２】本発明の第３の実施形態に係る発話関連情報提示装置の外観を示す模式図である。
【図２３】同実施形態における同装置の構成を示す模式図である。
【図２４】同実施形態における発話関連情報提示方法を説明するためのフローチャートである。
【符号の説明】
【００８６】
１１〜１３…マイク、２０…ＰＣ装置、２１…広告情報データベース、２２，２２’…提示領域設定部、２２ａ…場所画像記憶部、２２ｂ…テーブル領域算出部、２２ｃ…提示領域抽出部、２３，２３’…提示開始位置算出部、２３ａ…手前領域設定部、２３ｂ…領域情報記憶部、２３ｃ…手前領域選択部、２３ｄ…参加者画像記憶部、２４…検索キーワード抽出部、２４ａ…音声処理部、２４ｂ…キーワード比較部、２５…情報抽出部、２６…提示画像算出部、２６ａ…提示位置算出部、２６ｂ…提示画像作成部、２７…中央領域算出部、３０…情報提示部、４１〜４３…カメラ、５０，５０’…情報選択・操作部、Ｕ１〜Ｕ４…ユーザ、Ａ，Ａ’…提示領域、ＵＡ１〜ＵＡ４…手前領域、ＶＬ…仮想基準線、α１〜α４…角度、Ｃ１〜Ｃ４…コーナー、Ｔ…テーブル、Ａｄｖ，Ａｄｖ’…広告情報。
【図１】
0005047882.tif 000002
【図２】
0005047882.tif 000003
【図３】
0005047882.tif 000004
【図４】
0005047882.tif 000005
【図５】
0005047882.tif 000006
【図６】
0005047882.tif 000007
【図７】
0005047882.tif 000008
【図８】
0005047882.tif 000009
【図９】
0005047882.tif 000010
【図１０】
0005047882.tif 000011
【図１１】
0005047882.tif 000012
【図１２】
0005047882.tif 000013
【図１３】
0005047882.tif 000014
【図１４】
0005047882.tif 000015
【図１５】
0005047882.tif 000016
【図１６】
0005047882.tif 000017
【図１７】
0005047882.tif 000018
【図１８】
0005047882.tif 000019
【図１９】
0005047882.tif 000020
【図２０】
0005047882.tif 000021
【図２１】
0005047882.tif 000022
【図２２】
0005047882.tif 000023
【図２３】
0005047882.tif 000024
【図２４】
0005047882.tif 000025